(57)【要約】【課題】フライバックトランスのＸ線漏洩保護回路の電圧検出用三次巻線が短絡した場合にフライバックトランスから発煙などの異常が発生する場合がある。【解決手段】フライバックトランスの三次巻線の出力電圧が低下した場合に、高圧回路の動作を停止しフライバックトランスを保護する。【選択図】図１
2005318223.tif 000002
【特許請求の範囲】
【請求項１】
電源電圧から高圧を発生させる高圧発生手段と、高圧発生手段が発生した高電圧の電圧を測定する電圧測定手段と、前記電圧測定手段が測定した電圧が所定範囲を超えた場合に高圧発生手段を停止させる保護手段を備えた高圧発生回路であって、前記保護手段は、前記電圧測定手段が測定した電圧と最高基準電圧を比較し、測定した電圧が最高基準電圧を超える場合および、前記電圧測定手段が測定した電圧と最低基準電圧を比較し、測定した電圧が最低基準電圧を下回る場合に、高圧発生回路を停止させる高圧発生回路。
【請求項２】
前記高圧発生手段はフライバックトランスであり、前記電圧測定手段は前記フライバックトランスに巻回された三次巻線であることを特徴とする請求項１に記載の高圧発生回路。
【請求項３】
請求項１または２に記載の高圧発生回路を備えたテレビ受像機。
【発明の詳細な説明】
【技術分野】
【０００１】
本発明は、フライバックトランスの保護回路に係り、フライバックトランスの三次巻線の短絡故障が発生した場合に、確実に動作してフライバックトランスを保護できるフライバックトランスの保護回路に関するものである。
【背景技術】
【０００２】
一般に、テレビジョン受像機においてＣＲＴ（受像管）の陽極に高圧を供給する高圧発生回路の出力電圧が何らかの原因で上昇すると、各所に異常電圧や異常電流が発生し、Ｘ線を放射する危険がある。
【０００３】
そのためＣＲＴのサイズや形式に応じて規定されているＸ線の漏洩限度を超えない様にＸ線漏洩保護回路が設けられている。このＸ線漏洩保護回路は高圧発生回路の出力電圧を代表する電圧を監視し、検出電圧が所定の値を超えたとき高圧の発生を停止させるよう動作する。電圧を検出する手段としてフライバックトランスに三次巻線を施しこの三次巻線から出力されるパルス電圧を平滑した直流電圧をＸ線漏洩保護回路の検出電圧としている。
【０００４】
図３は、従来例におけるフライバックトランス周辺回路を示した図であり、フライバックトランスの三次巻線からの高電圧に比例した電圧を検出するＸ線漏洩保護回路を有したフライバックトランス周辺回路である。
【０００５】
高圧制御回路３から出力される駆動パルス電圧ＶａによりトランジスタＱ１をオン・オフさせてフライバックトランスの一次巻線Ｌ１にパルス電圧を発生させる。フライバックトランスの一次巻線に発生したパルス電圧はフライバックトランスの相互誘導により二次巻線Ｌ２に高電圧として出力される。三次巻線Ｌ３にはＬ２と比例した電圧が出力され、その三次巻線のパルス電圧をダイオードＤ１及びコンデンサＣ１で平滑して得られた直流電圧Ｖｂと基準電圧１を比較器Ｑ２で比較し、直流電圧Ｖｂが基準電圧１より高い電圧になった時に高圧制御回路３から出力されるＱ１を駆動するパルス電圧Ｖａをオフすることで高圧の発生を停止する（例えば、特許文献１を参照）。
【０００６】
よって、基準電圧１を適当な値に設定することでＣＲＴに供給される高電圧が上昇した時にＣＲＴのサイズや形式により規定されているＸ線漏洩限度を超えるような高電圧になる前に高圧回路を停止し、高圧の発生を停止する。
【特許文献１】特開平８−３３６０５６号公報
【発明の開示】
【発明が解決しようとする課題】
【０００７】
しかしながら、上記従来方式では、三次巻線自身が短絡した場合、三次巻線の検出電圧が低下するため異常が検出できず、三次巻線の短絡による三次巻線自身の発熱によりフライバックトランスの発煙等の異常を誘発する原因となる課題があった。
【課題を解決するための手段】
【０００８】
本発明は、電源電圧から高圧を発生させる高圧発生手段と、高圧発生手段が発生した高電圧の電圧を測定する電圧測定手段と、前記電圧測定手段が測定した電圧が所定範囲を超えた場合に高圧発生手段を停止させる保護手段を備えた高圧発生回路において、前記保護手段は、前記電圧測定手段が測定した電圧と最高基準電圧を比較し、測定した電圧が最高基準電圧を超える場合および、前記電圧測定手段が測定した電圧と最低基準電圧を比較し、測定した電圧が最低基準電圧を下回る場合に、高圧発生回路を停止させる高圧発生回路である。
【０００９】
本発明によって、三次巻線自身が短絡した場合も、高圧発生回路を停止させることが可能となる。
【発明の効果】
【００１０】
本発明の高圧発生回路によれば、フライバックトランスの三次巻線の短絡故障が発生した場合でも速やかに高圧回路の動作を停止しフライバックトランスの異常を保護することができる。
【発明を実施するための最良の形態】
【００１１】
以下、本発明の実施の形態を図面を参照して説明する。
【００１２】
図１は、本発明のフライバックトランスの保護回路の一実施の形態の構成を示した回路図である。
【００１３】
高圧制御回路３から出力される駆動パルス電圧ＶａによりトランジスタＱ１をオン・オフさせてフライバックトランスの一次巻線Ｌ１にパルス電圧を発生させる。
【００１４】
フライバックトランスの一次巻線Ｌ１に発生したパルス電圧はフライバックトランスの相互誘導により二次巻線Ｌ２に高電圧として出力される。
【００１５】
三次巻線Ｌ３にはＬ２と比例した電圧が出力され、その三次巻線のパルス電圧をダイオードＤ１及びコンデンサＣ１で平滑して得られた直流電圧Ｖｂと基準電圧１とを比較器Ｑ２で比較し、直流電圧Ｖｂが基準電圧１より高い電圧になった時に高圧制御回路３から出力されるパルス電圧Ｖａをオフすることで高圧の発生を停止する。
【００１６】
例えば、基準電圧１を通常動作時の直流電圧Ｖｂより高く、且つ高圧がＸ線漏洩限度値に達した時に出力される直流電圧Ｖｂより低く設定することで、ＣＲＴに供給される高電圧が上昇した時にＸ線漏洩限度を超えるような高電圧になる前に高圧回路を停止し、高圧の発生を停止することができる。
【００１７】
一方、三次巻線Ｌ３が何らかの原因により短絡した場合は、ダイオードＤ１とコンデンサＣ１で平滑される直流電圧Ｖｂは低下し、比較器Ｑ３にて基準電圧２と比較し、直流電圧Ｖｂが基準電圧２より低くなった時、高圧制御回路３は高圧を停止する。これにより何らかの原因で三次巻線の短絡が発生した場合でもフライバックトランスに異常が発生することを防ぐことができる。
【００１８】
なお、図１の比較器Ｑ３及び基準電圧２の代わりに、図２に示すようなトランジスタＱ４及び抵抗器Ｒ１、Ｒ２を用いても同様の効果を得ることができる。
【００１９】
トランジスタＱ４のベースにはフライバックトランスの三次巻線のパルス電圧を平滑して得られた直流電圧Ｖｂを抵抗器Ｒ１及びＲ２で分圧した電圧が加えられる。分圧してトランジスタＱ４のベースに加えられる電圧を、通常動作時にＱ４のベース・エミッタ電圧（およそ０．６Ｖ）以上になるように分圧比を設定しておくとトランジスタＱ４はオンしてＱ４のコレクタ電圧がゼロとなり高圧制御回路３へ信号は出力されない。
【００２０】
フライバックトランスの三次巻線Ｌ３が短絡した場合、直流電圧ＶｂはゼロとなるのでトランジスタＱ４のベース電圧もゼロとなりＱ４はオフし、Ｑ４のコレクタから高圧制御回路３に信号が出力されることで高圧制御回路３はパルス電圧Ｖａをオフし高圧の発生を停止することでフライバックトランスを保護する。
【図面の簡単な説明】
【００２１】
【図１】本発明の実施の形態における回路構成図
【図２】本発明の実施の形態における回路構成図
【図３】従来例における回路構成図
【符号の説明】
【００２２】
１    ＣＲＴ
２    フライバックトランス
３    高圧制御回路
Ｄ１    ダイオード
Ｃ１    コンデンサ
Ｑ１    スイッチングトランジスタ
Ｑ２    比較器
Ｑ３    比較器
Ｑ４    トランジスタ
Ｌ１    フライバックトランス一次巻線
Ｌ２    フライバックトランス二次巻線
Ｌ３    フライバックトランス三次巻線
Ｖａ    トランジスタ駆動パルス電圧
Ｖｂ    直流電圧
Ｒ１    抵抗器
Ｒ２    抵抗器
【図１】
2005318223.tif 000003
【図２】
2005318223.tif 000004
【図３】
2005318223.tif 000005